(57)【要約】【課題】築盛した陶材に陶材を築盛する前に筆穂１に保持されている陶材の水分を吸い取ることができることと、筆穂１を通じて既に築盛された陶材の水分を吸い取ることができ、陶材の水分量を調節しながら陶材の築盛作業を行うことが可能な陶材築盛用筆１００を提供する。【解決手段】毛を束ねてなる筆穂１と、筆穂１を保持する筆本体２と、筆穂１に水分を供給することなく、筆穂１に保持されている陶材の水分を吸引する吸引機構３とを備えることを特徴とする。【選択図】図１
2014036741.tif 000002
【特許請求の範囲】
【請求項１】
毛を束ねてなる筆穂と、
前記筆穂を保持する筆本体と、
前記筆穂に水分を供給することなく、前記筆穂に保持されている陶材の水分を吸引する吸引機構とを備える陶材築盛用筆。
【請求項２】
前記吸引機構が、前記筆本体内部に形成された吸引用通路を有し、
前記吸引用通路の一端が前記筆穂において開口し、前記吸引用通路の他端が前記筆本体側面において開口する請求項１記載の陶材築盛用筆。
【請求項３】
前記筆本体の軸方向一端に前記筆穂が設けられ、
前記吸引用通路の他端開口が、前記筆本体の軸方向において、筆穂側とは反対側の端部に設けられている請求項２記載の陶材築盛用筆。
【請求項４】
前記吸引機構が、一端開口が前記吸引用通路の他端開口に着脱可能に接続され、他端開口が使用者に咥えられて吸引される吸引管を有する請求項２又は３記載の陶材築盛用筆。
【請求項５】
前記吸引機構が、吸引装置と、一端開口が前記吸引用通路の他端開口に接続され、他端開口に前記吸引装置が接続された吸引管とを有する請求項２又は３記載の陶材築盛用筆。
【請求項６】
前記吸引機構が、前記吸引用通路により吸引された水分を貯留する水分貯留部を有する請求項２乃至５の何れかに記載の陶材築盛用筆。
【請求項７】
前記筆本体内部に、前記水分貯留部が設けられ、
前記筆本体が、前記水分貯留部を外部開放して前記水分貯留部に貯留された水分を排出するための排出機構を有する請求項６記載の陶材築盛用筆。
【請求項８】
前記筆本体が、軸方向において第１本体要素及び第２本体要素に分割可能とされることにより前記排出機構が構成されている請求項７記載の陶材築盛用筆。
【請求項９】
前記第１本体要素及び前記第２本体要素の互いに対向する端部において、一方の外周面におねじ部が、他方の内周面に前記おねじ部に螺合するめねじ部が形成され、前記筆本体が、これら前記おねじ部及び前記めねじ部により前記第１本体要素及び前記第２本体要素に分割可能に構成された請求項８記載の陶材築盛用筆。
【請求項１０】
前記排出機構が、前記筆本体側壁に設けられた前記水分貯留部を外部開放する排出孔と、当該排出孔を開閉可能に設けられた蓋とで構成された請求項７記載の陶材築盛用筆。
【請求項１１】
前記吸引機構とは別に、前記筆穂に新たな水分を供給する加水機構をさらに備える請求項１乃至１０の何れかに記載の陶材築盛用筆。
【発明の詳細な説明】
【技術分野】
【０００１】
本発明は、歯科補綴物の陶材築盛作業に用いる陶材築盛用筆に関するものである。
【背景技術】
【０００２】
従来、歯科補綴物の色調を調整して天然歯に近い審美性を生み出すために、金属及びセラミック製のフレーム又は耐火模型上に、異なった色調の歯科用陶材を層構造に築盛した歯科補綴物がある。
【０００３】
具体的な陶材築盛作業としては、粉末の歯科用陶材を水等の液体によって練和したものを、特許文献１に示すような陶材築盛用筆で掬い取ってフレーム上に築盛するようにしている。
【０００４】
このような築盛作業を行う場合には、陶材築盛用筆に掬い取った場合の筆穂に保持されている陶材の水分量の調節が重要である。例えば、当該陶材の水分量が多すぎると、築盛体が液状化して崩れ易くなり、逆に歯科用陶材の水分量が少なすぎると、作業性が著しく低下し、築盛自体が困難になる。
【０００５】
このため従来は、陶材を築盛した状態で当該陶材の水分量が多すぎる場合は、温風機によって乾燥させたり、ティッシュペーパーなどの吸水材を触れさせて築盛した陶材の水分量を調節するようにしている。吸水材を用いた方法では築盛した陶材に物理的に力が加わるため、形態及び層構造を崩しやすいという問題がある。また、温風機で乾燥させる方法では、埃や塵を陶材表面に付着させる恐れがある。
【０００６】
また、特許文献２に示すように、筆穂が保持する水分量が少ない場合に、筆穂へ液体の供給を可能にするスポイト構造を有する筆が考えられている。しかしながら、スポイト構造では、作業中にスポイトを操作して水分を吸引しようとすると、手に力が入って精密な操作ができないという問題がある。さらに、スポイト構造では、吸引力の持続性が得られない上に、吸引力の強弱のコントロールができないという問題もある。
【０００７】
加えて、先に吸引されて貯留されている水分が異なる色調の陶材粒子を含んでいる場合に、この水分を再び筆穂に押し出してしまい、筆穂が含んでいる陶材の色調に影響を与えることになる。したがって、スポイト構造では、精密な色調再現を是とする陶材築盛作業においては問題が生じる。
【先行技術文献】
【特許文献】
【０００８】
【特許文献１】特開２００６−１０２４６７号公報
【特許文献２】実用新案登録第３１３４４２３号公報
【発明の概要】
【発明が解決しようとする課題】
【０００９】
そこで本発明は、上記問題点を一挙に解決すべくなされたものであり、筆穂に保持されている陶材の水分を吸い取ることができるとともに、前記筆穂を通じて既に築盛された陶材の水分を吸い取ることができ、陶材の水分量を調節しながら陶材の築盛作業を行うことが可能な陶材築盛用筆を提供することを所期課題とする。
【課題を解決するための手段】
【００１０】
すなわち本発明に係る陶材築盛用筆は、毛を束ねてなる筆穂と、前記筆穂を保持する筆本体と、前記筆穂に水分を供給することなく、前記筆穂に保持されている陶材の水分を吸引する吸引機構とを備えることを特徴とする。
【００１１】
このようなものであれば、前記筆穂に保持されている陶材の水分を吸引できるので、前記筆穂に保持されている陶材の水分が多すぎる場合は、当該水分を吸い取ることができる。また、前記筆穂に保持されている陶材の水分が吸い取られた状態で前記筆穂が既に築盛された陶材に触れることで、前記筆穂を通じて既に築盛された陶材の水分を吸い取ることができる。したがって、陶材の築盛作業において、前記筆穂に保持された陶材の水分量を適切な量に調節することができ、陶材を築盛する際の陶材の形造り易さである付形性を向上させることが可能となる。
【００１２】
前記吸引機構が、前記筆本体内部に形成された吸引用通路を有し、前記吸引用通路の一端が前記筆穂において開口し、前記吸引用通路の他端が前記筆本体側面において開口していることが望ましい。これならば、前記筆本体外部に前記吸引用通路を設ける必要がなく、使用者が前記筆本体を把持し易くなるとともに、安定した築盛作業を行うことができる。
【００１３】
前記筆本体の軸方向一端に前記筆穂が設けられ、前記吸引用通路の他端開口が、前記筆本体の軸方向において、筆穂側とは反対側の端部に設けられていることが望ましい。これならば、前記吸引用通路の他端開口が、使用者が前記筆本体を把持する場合に、最も邪魔にならない場所に開口することになり、使用者が前記筆本体を把持し易くなるとともに、より安定した築盛作業を行うことができる。
【００１４】
前記吸引機構が、一端開口が前記吸引用通路の他端開口に着脱可能に接続され、他端開口が使用者に咥えられて吸引される構成にすることが望ましい。これならば、前記陶材築盛用筆を簡易な構成にできるとともに、前記吸引管が着脱可能であるので、同じ陶材築盛用筆を複数人で使用する場合には、各個人の吸引管を決めておけば、容易に衛生管理ができる。また、前記吸引管を新品に交換する作業が容易になる。
【００１５】
前記吸引機構が、吸引装置と、一端開口が前記吸引用通路の他端開口に接続され、他端開口に前記吸引装置が接続された吸引管とを有する構成であることが望ましい。これならば、使用者自身が吸引する必要が無いので、築盛作業に集中することができ、作業効率を向上させることができる。また、吸引された水分を使用者が誤飲することを防止できる。
【００１６】
前記吸引機構が、前記吸引用通路により吸引された水分を貯留する水分貯留部を有する構成が望ましい。これならば、築盛作業が長時間に亘り、吸引されて蓄積した水分量が多くなる場合でも、貯留できる水分量が増えるので、頻繁に水分を排出する手間を省くことができる。
【００１７】
前記筆本体内部に、前記水分貯留部が設けられ、前記筆本体が、前記水分貯留部を外部開放して前記水分貯留部に貯留された水分を排出するための排出機構を有する構成にすることが望ましい。これならば、前記水分貯留部に溜まった水分を排出する作業が簡単になる。また、前記筆本体内部の洗浄を容易に行うことができる。
【００１８】
前記筆本体が、軸方向において第１本体要素及び第２本体要素に分割可能とされることにより前記排出機構が構成されていることが望ましい。これならば、構成前記第１本体要素と前記第２本体要素とを分割する簡単な作業で前記水分貯留部に貯留された水分を排出することができる。
【００１９】
前記第１本体要素及び前記第２本体要素の互いに対向する端部において、一方の外周面におねじ部が、他方の内周面に前記おねじ部に螺合するめねじ部が形成され、前記筆本体が、これら前記おねじ部及び前記めねじ部により前記第１本体要素及び前記第２本体要素に分割可能に構成されていることが望ましい。これならば、他に連結するための部材を必要とせずに、最小の部品点数で前記第１要素と前記第２要素とを連結することができる。
【００２０】
前記排出機構が、前記筆本体側壁に設けられた前記水分貯留部を外部開放する排出孔と、当該排出孔を開閉可能に設けられた蓋とで構成されていることが望ましい。これならば、前記蓋を開放状態にするだけで前記水分貯留部が外部開放されるので、簡単に前記水分貯留部に溜まった水分を排出できる。
【００２１】
前記吸引機構とは別に、前記筆穂に新たな水分を供給する加水機構をさらに備えることが望ましい。これならば、陶材築盛作業において、使用者が前記筆穂の水分を吸引し過ぎてしまった場合に、一度吸引した水分を前記筆穂に戻して陶材の色調を変化させることなく、前記筆穂に保持されている陶材の水分を調節することができる。
【発明の効果】
【００２２】
このように構成した本発明によれば、前記筆穂に保持されている陶材の水分を吸引できるので、前記筆穂に保持されている陶材の水分が多すぎる場合は、当該水分を吸い取ることができる。また、前記筆穂に保持されている陶材の水分が吸い取られた状態で前記筆穂が既に築盛された陶材に触れることで、前記筆穂を通じて既に築盛された陶材の水分を吸い取ることができる。したがって、陶材の築盛作業において、前記筆穂に保持された陶材の水分量を適切な量に調節することができ、陶材を築盛する際の陶材の形造り易さである付形性を向上させることが可能となる。
【図面の簡単な説明】
【００２３】
【図１】本発明の一実施形態に係る陶材築盛用筆の概略図。
【図２】本発明の一実施形態に係る筆本体を分割した状態の概略図。
【図３】本発明の一実施形態に係る陶材築盛用筆の拡大概略図。
【図４】本発明の変形実施形態に係る陶材築盛用筆の概略図。
【図５】本発明の変形実施形態に係る陶材築盛用筆の概略図。
【図６】本発明の変形実施形態に係る陶材築盛用筆の概略図。
【図７】本発明の変形実施形態に係る陶材築盛用筆の概略図。
【発明を実施するための形態】
【００２４】
以下に本発明に係る陶材築盛用筆の一実施形態について図面を参照して説明する。
【００２５】
＜第１実施形態＞
本実施形態に係る陶材築盛用筆１００は、歯科補綴物の色調を調整して天然歯に近い審美性を生み出すための陶材築盛作業に用いられるものである。
【００２６】
なお、陶材築盛作業とは、粉末状歯科用陶材を水等の液体によって練和したものを、陶材築盛用筆１００で掬い取って金属及びセラミック製等のフレーム又は耐火模型上に築盛して築盛した陶材を形成する作業である。
【００２７】
具体的にこの陶材築盛用筆１００は、図１及び図２に示すように、毛を束ねてなる筆穂１と、この筆穂１を保持する筆本体２と、筆穂１に水分を供給することなく筆穂１に保持されている陶材の水分を吸引する吸引機構３とを備える。
【００２８】
筆穂１は、陶材築盛作業中に水等の液体によって練和された歯科用陶材を掬い取って保持するものである。この筆穂１は、天然毛（例えば動物毛）又は合成毛（例えば合成繊維）等の毛を束ねて形成されている。
【００２９】
筆本体２は、プラスチックや木材等の硬質材料からなる直線状の丸棒材からなるものである。また、図１に示すように、筆本体２の軸方向一端部である先端部２ａに筆穂１が設けられている。
【００３０】
吸引機構３は、筆穂１に保持されている陶材の水分を吸引するための吸引用通路２１と、この吸引用通路２１に接続されて、使用者に吸引される吸引管３１とを備えている。
【００３１】
吸引用通路２１は、筆本体２の内部に、当該筆本体２の軸方向に沿って形成されている。
【００３２】
この吸引用通路２１の一端開口２１ｐは、図３に示すように、筆穂１内部に開口している。具体的には、一端開口２１ｐを形成する接続管２１ａが、筆穂１の結束部に形成された挿入孔に挿入されていることにより、一端開口２１ｐが、筆穂１内部に開口するようにしている。なお、挿入孔は、結束部の略中央部に形成されている。
【００３３】
また、吸引用通路２１の他端開口２１ｑは、筆本体２の軸方向他端部である基端部２ｂにおいて開口している。具体的には、他端開口２１ｑは吸引用通路２１に設けられた接続管２１ｂにより形成されている。なお、接続管２１ａ及び接続管２１ｂは、筆本体２と略同軸上に設けられており、硬質材料からなる。
【００３４】
また、図１に示すように、吸引用通路２１における一端開口２１ｐと他端開口２１ｑとの間には、吸引用通路２１により吸引された水分を貯留する水分貯留部２２が設けられている。
【００３５】
この水分貯留部２２は、吸引用通路２１における一端開口２１ｐと他端開口２１ｑとの間の一部の通路径を拡開することにより形成されている。また、水分貯留部２２よりも一端開口２１ｐ側の吸引用通路２１では水分が吸引され、水分貯留部２２よりも他端開口２１ｑ側の吸引用通路２１では空気が吸引される。
【００３６】
吸引管３１は、可撓性を有する材料からなり、図１に示すように、一方の一端開口３１ａが吸引用通路２１の他端開口２１ｑを形成する接続管２１ｂに着脱可能に接続されている。また、吸引管３１の他端開口３１ｂは、使用者が咥えて吸引できるように開放されている。
【００３７】
また、本実施形態では、水分貯留部２２を外部開放して水分貯留部２２内の水分を排出するための排出機構４を備える。この排出機構４は、図２に示すように、筆本体２が、先端部２ａ側であり筆穂１を有する第１本体要素２０ａと、基端部２ｂ側である第２本体要素２０ｂとに水分貯留部２２を二分するように分割可能に構成されている。
【００３８】
具体的には、図２に示すように、第１本体要素２０ａ及び第２本体要素２０ｂの互いに対向する側の端部において、第１本体要素２０ａの外周面におねじ部２０Ｍが、第２本体要素２０ｂの内周面におねじ部２０Ｍと螺合するめねじ部２０Ｎが形成され、第１本体要素２０ａ及び第２本体要素２０ｂが、これらおねじ部２０Ｍ及びめねじ部２０Ｎにより分割可能に構成されている。
【００３９】
なお、各本体要素と各ねじ部の関係は逆でも良く、第２本体要素２０ｂの外周面におねじ部２０Ｍが、第１本体要素２０ａの内周面にめねじ部２０Ｎが形成されている構成でも良い。
【００４０】
次に、このように構成した陶材築盛用筆１００の使用方法の例を簡単に説明する。
【００４１】
まず、粉末状歯科用陶材を水等の液体によって練和したものを、使用者が陶材築盛用筆１００の筆穂１で掬い取る。そして、使用者が筆穂１に掬い取られた歯科用陶材の水分量が多すぎると判断した場合は、使用者が吸引管３１の他端開口３１ｂを咥えて吸引することで、筆穂１に保持されている陶材の水分が一端開口２１ｐから吸引用通路２１に吸い込まれる。吸い込まれた水分が吸引用通路２１を通って水分貯留部２２に到達すると、水分は水分貯留部２２に貯留される。
【００４２】
また、図３に示すように、筆穂１に保持されている陶材の水分が吸い取られ、水分量が少ない状態で筆穂１が既に築盛された陶材に触れることで、既に築盛された陶材の水分が筆穂１に吸い取られ、築盛された陶材の水分量が減少する。
【００４３】
このように陶材築盛用筆１００を使用すれば、陶材の築盛作業において、使用者が筆穂１に保持されている陶材の水分量を適切な量に調節することができる。これならば、陶材の水分量が多すぎると築盛体がシャバシャバし、粘性が小さすぎて作業性が低下したり、逆に陶材の水分量が少なすぎると築盛体がパサパサし、粘性が大きすぎて作業性が低下することを防止できる。したがって、陶材を築盛する際の陶材の形造り易さである付形性を向上させることが可能になる。また、使用者が筆穂１を通して既に築盛された陶材の水分量を調節しながら陶材築盛作業を行うこともできる。
【００４４】
また、使用者が筆穂１に保持されている陶材の水分又は筆穂１を通じて既に築盛された陶材の水分を吸引して調節していくに連れて、水分貯留部２２に水分が貯まってくる。このような場合は、図１及び図２に示すように、本実施形態では筆本体２が第１本体要素２０ａと第２本体要素２０ｂとに分割して、水分貯留部２２を外部開放することが可能であるため、水分貯留部２２に貯留された水分を、第１本体要素２０ａと第２本体要素２０ｂとを分割して排出することができる。さらに、第１本体要素２０ａと第２本体要素２０ｂとを分割した状態であれば、第１本体要素２０ａ及び第２本体要素２０ｂの内部空間（水分貯留部２２）を容易に洗浄することができる。
【００４５】
さらに、筆本体２が第１本体要素２０ａと第２本体要素２０ｂとに分割可能に構成することにより、筆穂１のサイズが異なる第１本体要素２０ａに交換することで、筆穂１のサイズを容易に変えることができる。これならば、同じ陶材築盛用筆１００を用いて複数の使用者が作業する場合に、それぞれの使用者が好むサイズに容易に交換して作業することができる。
【００４６】
＜その他の変形実施形態＞
なお、本発明は前記実施形態に限られるものではない。例えば、図４に示すように、吸引管３１の他端開口３１ｂが、吸引装置３２に接続されたものでもよい。具体的に吸引装置３２としては、電気式ポンプ等の自動ポンプや、サイフォン吸引ポンプ又はふいご等の手動ポンプを用いることが考えられる。これならば、吸引装置３２により水分を吸引するため、使用者の作業負荷を低減できるので、陶材築盛作業を集中して行うことができる。
【００４７】
また、吸引装置３２を操作するスイッチが手を使わずに操作できるように構成されているものであれば、使用者が陶材築盛用筆１００から手を離す必要がなくなるので、陶材築盛作業をより集中して行うことができる。例えば、足で操作するフットスイッチ等が好ましい。
【００４８】
また、筆穂１から吸引する水分量が少ないのであれば、排出機構４は必ずしも設ける必要は無い。例えば、図４に示すように、筆本体２が分割されないものでも良い。これならば、部品点数を削減できるので、構造を簡略化できる。
【００４９】
図５に示すように、排出機構４が、筆本体２側壁に設けられ、水分貯留部２２を外部開放する排出孔４１と、この排出孔４１を開閉する蓋４２とで構成されたものでも良い。これならば、蓋４２を開閉する簡単な操作で水分貯留部２２を開放できるので、容易に水分貯留部２２内の水分を排出することができる。また、蓋４２が弾性を有する例えばゴム等の樹脂材料からなるものでもよい。さらに、蓋４２が筆本体２と繋がっているものでもよい。具体的には、蓋４２が所定の回転軸を有するヒンジ部によって連結され、筆本体２に対して回転して排出孔４１を開閉可能に構成したものでもよいし、蓋４２の端部から例えば板状に延びる弾性部材によって蓋４２が筆本体２に繋がり、板状に延びる弾性部材が弾性変形して排出孔４１を開閉可能に構成したものでもよい。これならば、筆本体２から外れた蓋４２を紛失することを防止できる。
【００５０】
吸引用通路２１に、一端開口２１ｐ側から他端開口２１ｑ側への流通のみを許容する逆止弁をさらに設けても良い。これならば、使用者が不意に息を吐いた場合でも、一度吸引した水分が筆穂１に戻ることを防止できる。特に、筆穂１への水分の逆流を防ぐためには、逆止弁は一端開口２１ｐ近傍に設けることが好ましい。
【００５１】
吸引用通路２１は、筆本体２の内部に形成されたものに限られず、筆本体２の外に設けたものでも良い。例えば、吸引用通路２１となる吸引用管が、筆穂１に接するように開口し、当該吸引管を筆本体２の側面に沿わせたもの等でも良い。このとき、吸引用管と吸引管３１とが一体化したものでも良い。これならば、使用者が吸引した水分の量を視認しながら調節することができる。
【００５２】
水分貯留部２２が、筆本体２の外に設けられたものでも良い。例えば、陶材築盛用筆１００の外部に設けた貯留タンクと、この貯留タンクと吸引用通路２１とを接続する貯留用接続管とをさらに有する構成としたものでも良い。これならば、水分貯留部２２の容積を大きくすることができ、水分を排出する頻度を下げ、陶材築盛作業に集中することができる。また、他の態様としては、吸引管３１における一部の通路径を拡開することにより形成されたもの等でも良い。さらに、水分貯留部２２が、筆本体２の外に設けられたものであれば、陶材築盛作業中の筆本体２内部に必要以上に水が貯まり、筆本体２が重くなっていくこと防止できる。したがって、筆本体２が必要以上に重くなることを防止し、作業性を向上させることができる。
【００５３】
水分貯留部２２に、吸水部材を設けたものでも良い。これならば、吸引した水分が水分貯留部２２から筆穂１側の吸引用通路２１に逆流することを防止できる。
【００５４】
筆本体２は直線状の丸棒材からなるものに限られず、使用者が把持しやすいような形状であれば他の形状であっても良い。例えば、湾曲したものでも良いし、折れ曲がっているものでも良い。
【００５５】
吸引用通路２１の一端開口２１ｐ及び他端開口２１ｑは、必ずしも別体の接続管で形成される必要はない。例えば、筆本体２と接続管とが一体化したものでも良いし、筆穂１の結束部中央に吸引用通路２１に連通する吸引用孔を設けただけのものでも良い。
【００５６】
吸引用通路２１の一端開口２１ｐを筆穂１に複数設けたものでも良い。例えば、筆穂１における、周方向に等間隔に複数開口したものでも良いし、軸方向にそって異なる位置に複数開口したものでも良い。これならば、筆穂１に保持されている水分を偏りなく吸引することができる。
【００５７】
吸引機構３とは別に、筆穂１に新たな水分を供給する加水機構を備えたものでもよい。例えば、筆本体２に設けた吸引用通路２１とは別の加水用通路と、加水用水分を貯留しておくタンクと、加水用通路とタンクとを接続する接続管とを有する構成でも良い。これならば、使用者が筆穂１の水分を吸引し過ぎた場合に、陶材の色調に影響を与えることなく、筆穂１に水分を供給して陶材の水分量を調節することができる。また、使用者の作業負荷を抑えるためには、加水機構が前記加水用通路に水分を供給するポンプと、このポンプを操作するための操作手段とを設けたものが好ましい。特に、操作手段はフットスイッチ等、足で操作できる構成であることが望ましい。
【００５８】
図６に示すように、吸引管３１の中間部に、誤飲防止機構５を設けたものでもよい。具体的に誤飲防止機構５は、上方が開口し、吸引管３１の通路径よりも広い空間を有する容器５１と、この容器５１の開口を塞ぐ樹脂又はゴム等の弾性を有する材料からなるキャップ５２と、このキャップ５２を貫通し、一端が容器５１の内部空間の上側に開口する２つのパイプ５３ａ、５３ｂとからなる。そして、吸引用通路２１の他端開口２１ｑと接続される側の第１吸引管要素３１１が一方のパイプ５３ａに接続され、使用者に吸引される側の第２吸引管要素３１２が他方のパイプ５３ｂに接続される。このようなものであれば、吸引用通路２１の他端開口２１ｑと接続される側の第１吸引管要素３１１では水分が吸引され、吸引された水分は容器５１の下側に貯まり、使用者に吸引される側の第２吸引管要素３１２では空気が吸引されるようにすることができる。したがって、使用者が吸引した水分を誤飲することを防止できる。また、容器５１の内部空間を水分貯留部２２としたものでも良い。
【００５９】
筆本体２を、第１本体要素２０ａと、第２本体要素２０ｂとに分割可能にする構成として、おねじ部２０Ｍ及びめねじ部２０Ｎを設けずに、いずれか一方の外周面と、他方の内周面との間に、例えばＯリング又は円筒状の弾性部材を介在させるように構成したものでもよい。具体的には、第１本体要素２０ａの外周面に円筒状の弾性部材を設け、第１本体要素２０ａに第２本体要素２０ｂを押し込んで固定することが考えられる。これならば、第１本体要素２０ａ又は第２本体要素２０ｂのいずれか一方を他方に押し込んで固定するとともに、一方の外周面と、他方の内周面との間をシールすることが可能になる。
【００６０】
吸引用通路２１の他端開口２１ｑと吸引管３１の一端開口３１ａとの着脱構造は、前記実施形態に限られず、ワンタッチ方式で着脱できるような構造としても良い。ワンタッチ方式の着脱構造としては、例えば、磁石方式のものが考えられる。例えば、吸引用通路２１の他端開口２１ｑを形成する部材又は吸引管３１の一端開口３１ａを形成する部材の一方に磁石を設け、他方に磁石又は磁性体を設けたものが考えられる。具体的には、図７に示すように、筆本体２の端部２ｂが凹部２Ｄを有し、この凹部２Ｄの底面に吸引用通路２１が開口し、この開口の周りに例えばリング状の磁石が設けられている。一方、吸引管３１の一端開口３１ａ側端部には吸引管３１に連通する通路を有し、一端開口３１ａを形成する着脱用部材３１Ｋが接続され、この着脱用部材３１Ｋの全部又は一部が、磁石又は磁性体で構成されている。そして、筆本体２側の磁石と、着脱用部材３１Ｋとにより吸引用通路２１の他端開口２１ｑに接続される吸引管３１の一端開口３１ａの脱着可能になる。これならば、吸引用通路２１の他端開口２１ｑに接続される吸引管３１の脱着がより容易になる。また、凹部２Ｄは底面に行くにつれて径が小さくなるテーパ形状のものでもよく、着脱用部材３１Ｋの少なくとも一部が凹部２Ｄのテーパ形状に対応した形状であってもよい。これならば、吸引用通路２１の他端開口２１ｑに接続される吸引管３１の脱着が容易になる。
【００６１】
吸引管３１が、接続管２１ｂ等を介さずに、筆本体２の基端部２ｂ側の開口部に直接接続されるものでもよい。具体的には、吸引管３１における接続管２１ｂに接続される側の端部を、剛性を高くした材料で構成し、筆本体２の基端部２ｂ側の開口部に挿入する構成が考えられる。これならば、接続管２１ｂが不要となるため、部品点数を削減でき、より簡易な構成とすることができる。
【００６２】
また、前記実施形態では、吸引管３１が、筆本体２の基端部２ｂの上面に接続されるものであったが、筆本体２の基端部２ｂの側周面に接続されるようにしても良い。また、吸引管３１が接続される部分は、筆本体２の基端部２ｂに限られず、筆本体２の任意の位置とすることができる。この場合は、筆を持つ際に邪魔にならない位置とすることが望ましい。
【００６３】
その他、本発明は前記実施形態に限られず、その趣旨を逸脱しない範囲で種々の変形が可能であるのは言うまでもない。
【符号の説明】
【００６４】
１００・・・陶材築盛用筆
１    ・・・筆穂
２    ・・・筆本体
２ａ  ・・・先端部
２ｂ  ・・・基端部
２Ｄ  ・・・凹部
２０ａ・・・第１本体要素
２０ｂ・・・第２本体要素
２０Ｍ・・・おねじ部
２０Ｎ・・・めねじ部
２１  ・・・吸引用通路
２１ａ・・・接続管
２１ｂ・・・接続管
２１ｐ・・・一端開口
２１ｑ・・・他端開口
２２  ・・・水分貯留部
３    ・・・吸引機構
３１  ・・・吸引管
３１ａ・・・一端開口
３１ｂ・・・他端開口
３１Ｋ・・・着脱用部材
３２  ・・・吸引装置
３１１・・・第１吸引管要素
３１２・・・第２吸引管要素
４    ・・・排出機構
４１  ・・・排出孔
４２  ・・・蓋
５    ・・・誤飲防止機構
５１  ・・・容器
５２  ・・・キャップ
５３ａ・・・パイプ
５３ｂ・・・パイプ
【図１】
2014036741.tif 000003
【図２】
2014036741.tif 000004
【図３】
2014036741.tif 000005
【図４】
2014036741.tif 000006
【図５】
2014036741.tif 000007
【図６】
2014036741.tif 000008
【図７】
2014036741.tif 000009